(57)【特許請求の範囲】
【請求項１】
本体を含む寝台装置に取り付け可能なボードであって、
前記本体に向き合う第１面と、
前記第１面の裏面である第２面と、
前記寝台装置に取り付け可能な柵を保持可能で、前記第２面に設けられた保持部と、
を備え、
前記保持部は、前記ボードに対して前後方向に移動可能で、前記ボードに収納可能であることを特徴とするボード。
【請求項２】
前記保持部は、前記ボードに対して回転を伴って移動できることを特徴とする請求項１記載のボード。
【請求項３】
前記柵が、複数の部材を備え、
前記保持部が、前記複数の部材間の隙間に挿通された状態で、前記複数の部材のうち、前記隙間の上方に位置する前記部材を支持して、前記柵を保持することを特徴とする請求項１または請求項２に記載のボード。
【発明の詳細な説明】
【技術分野】
【０００１】
本発明は、寝台装置および柵体に関する。
【背景技術】
【０００２】
従来から、下記特許文献１に示すような寝台装置が知られている。この寝台装置は、寝台装置本体と、寝台装置本体における前後方向の端部に配置されたボードと、寝台装置本体における左右方向の端部に着脱自在に配置された柵体と、を備えている。この寝台装置では、柵体が邪魔になるときに、柵体を寝台装置本体から取り外すことができる。
【先行技術文献】
【特許文献】
【０００３】
【特許文献１】特開２００３−１６４３５８号公報
【発明の概要】
【発明が解決しようとする課題】
【０００４】
しかしながら、前記従来の寝台装置では、取り外した柵体の置き場を確保しなくてはならず、例えば柵体を床置きする等の必要がある。
【０００５】
本発明は、前述した事情に鑑みてなされたものであって、柵体の床置きを不要としつつ、柵体が邪魔になるのを抑えることを目的とする。
【課題を解決するための手段】
【０００６】
前記課題を解決するために、本発明は以下の手段を提案している。
（１）本発明に係る寝台装置は、寝台装置本体と；前記寝台装置本体における前後方向の端部に配置されたボードと；前記寝台装置本体における左右方向の端部に着脱自在に配置された柵体と；前記左右方向の端部から離脱された前記柵体を、前後方向に前記ボードを挟んだ前記寝台装置本体の反対側に位置させた状態で保持する柵保持部と；を備えることを特徴とする。
【０００７】
この発明によれば、寝台装置が、柵保持部を備えている。したがって、柵体を寝台装置本体の左右方向の端部から離脱させた後、その柵体を、前後方向にボードを挟んだ寝台装置本体の反対側に位置させた状態で、柵保持部によって保持することができる。これにより、柵体が邪魔になるのを抑えることができる。その結果、寝台装置の使用者（例えば患者、被介護者）に関するチューブの引き回しを容易にしたり、チューブの意図しない抜けを防止し易くしたりすることができる。また、使用者が寝台装置の左右方向から離床し易くしたり、寝台装置の操作者（例えば看護者、介護者）が、使用者に対して左右方向から処置をし易くしたりすることができる。さらに、例えばオーバーベッドテーブルや介護リフト等の移乗装置を寝台装置上に移動させ易く、かつ、オーバーベッドテーブルや介護リフト等の移乗装置を寝台装置上から移動させ易くすることができる。
また、柵体を柵保持部によって保持することができるので、柵体の床置きを不要とすることができる。これにより、例えば、柵体が不潔になるといった衛生面での問題を解消したり、床置きされた柵体の意図しない転倒による騒音の発生を抑制したりすることができる。さらに、柵体を、前後方向にボードを挟んだ寝台装置本体の反対側に位置させた状態で保持することができるので、柵体を確実に移動させることができる。すなわち、例えば、柵体を、ボードと寝台装置本体との間に保持する場合、作業スペースが確保できずに移動作業が煩雑になったり、例えばマットレスや布団によって、柵体のボードと寝台装置本体との間への移動が実質的に制限されたりするおそれがある。
また、柵体を、前後方向にボードを挟んだ寝台装置本体の反対側に位置させた状態で、柵保持部によって保持するので、例えば、柵体を寝台装置本体から離脱させた後、所定の床置き場に搬送し、その後、ボードを床置き場から再び寝台装置本体に搬送して装着させる場合等に比べて、作業負荷の軽減および業務の効率化を図ることができる。
【０００８】
（２）上記（１）記載の寝台装置であって、前記柵保持部が、前記ボードおよび前記柵体の少なくとも一方に設けられている構成を採用してもよい。
【０００９】
この場合、柵保持部が、ボードおよび柵体の少なくとも一方に設けられているので、例えば柵保持部が、柵体やボードとは分離された部材によって形成されている場合に比べて、作業性を向上させ易くすること等ができる。
【００１０】
（３）上記（１）または（２）に記載の寝台装置であって、前記柵保持部が、前記ボードに設けられ前記柵体を下方から支持する支持部を備えている構成を採用してもよい。
【００１１】
この場合、支持部が柵体を下方から支持するので、例えば、柵保持部が吸着によって柵体を保持する場合などに比べて、柵体を簡便かつ安定に保持し易くすることができる。
【００１２】
（４）上記（３）記載の寝台装置であって、前記支持部が、前記ボードから突出している構成を採用してもよい。
【００１３】
この場合、支持部がボードから突出しているので、例えば、柵体を追加工することなく、支持部によって柵体を支持すること等が可能になり、柵体として多様な構成を採用することができる。
【００１４】
（５）上記（４）記載の寝台装置であって、前記支持部が、前記ボードに移動自在に連結されている構成を採用してもよい。
【００１５】
この場合、支持部が、ボードに移動自在に連結されているので、支持部が柵体を支持していないときに、支持部を移動させることで、支持部を収納したり、支持部のボードからの突出量を小さくしたりすることができる。これにより、支持部が邪魔になるのを抑えることができる。
【００１６】
（６）上記（４）または（５）に記載の寝台装置であって、前記柵体が、複数の柵構成部材を備え；前記支持部が、前記複数の柵構成部材間の隙間に挿通された状態で、前記複数の柵構成部材のうち、前記隙間の上方に位置する前記柵構成部材を支持すること構成を採用してもよい。
【００１７】
この場合、支持部が、複数の柵構成部材間の隙間に挿通された状態で、複数の柵構成部材のうち、隙間の上方に位置する柵構成部材を支持するので、例えば、柵体のうち、比較的、上方に位置する部分を支持部によって支持すること等が可能になり、作業性を向上させることができる。
【００１８】
（７）上記（３）記載の寝台装置であって、前記支持部が、前記ボードによって構成されている構成を採用してもよい。
【００１９】
この場合、支持部が、ボードによって構成されているので、例えば、ボードの構造の簡便化を図りつつ柵体を安定して支持し易くすること等ができる。
【００２０】
（８）上記（３）から（７）のいずれか１項に記載の寝台装置であって、前記柵体が、前記左右方向の端部に装着される装着部を備え；前記支持部が、前記装着部を支持する構成を採用してもよい。
【００２１】
この場合、支持部が装着部を支持するので、柵体において寝台装置本体や支持部に装着、支持される部分を、装着部に集約させることが可能になり、例えば、柵体の本体部の機能に影響が生じるのを抑えること等ができる。
【００２２】
（９）上記（１）から（８）のいずれか１項に記載の寝台装置であって、前記ボードが、前記寝台装置本体に対して前後方向に沿う頭側に位置するヘッドボードを備え、前記柵保持部が、前記柵体を、前後方向に前記ヘッドボードを挟んだ前記寝台装置本体の反対側に位置させた状態で保持する構成を採用してもよい。
【００２３】
この場合、柵保持部が、柵体を、前後方向にヘッドボードを挟んだ寝台装置本体の反対側に位置させた状態で保持することから、柵保持部によって保持された柵体が邪魔になることも抑えることができる。すなわち、一般にヘッドボードは、室内の壁面の近傍に配置されることが多く、柵体を、前後方向にヘッドボードを挟んだ寝台装置本体の反対側に位置させることで、柵保持部によって柵体を保持することを起因として、室内の作業スペースに影響が生じるのを抑制することができる。
【００２４】
（１０）本発明に係る柵体は、前後方向の端部にボードが配置された寝台装置本体における左右方向の端部に着脱自在に配置される柵体であって、当該柵体を、前後方向に前記ボードを挟んだ前記寝台装置本体の反対側に位置させた状態で保持する柵保持部の少なくとも一部を構成する第１保持部を備えていることを特徴とする。
【００２５】
この発明によれば、柵体が、第１保持部を備えている。したがって、柵体を寝台装置本体の左右方向の端部から離脱させた後、その柵体を、前後方向にボードを挟んだ寝台装置本体の反対側に位置させた状態で、柵保持部によって保持することができる。これにより、柵体が邪魔になるのを抑えることができる。その結果、寝台装置の使用者（例えば患者、被介護者）に関するチューブの引き回しを容易にしたり、チューブの意図しない抜けを防止し易くしたりすることができる。また、使用者が寝台装置の左右方向から離床し易くしたり、寝台装置の操作者（例えば看護者、介護者）が、使用者に対して左右方向から処置をし易くしたりすることができる。さらに、例えばオーバーベッドテーブルや介護リフト等の移乗装置を寝台装置上に移動させ易く、かつ、オーバーベッドテーブルや介護リフト等の移乗装置を寝台装置上から移動させ易くすることができる。
また、柵体を柵保持部によって保持することができるので、柵体の床置きを不要とすることができる。これにより、例えば、柵体が不潔になるといった衛生面での問題を解消したり、床置きされた柵体の意図しない転倒による騒音の発生を抑制したりすることができる。さらに、柵体を、前後方向にボードを挟んだ寝台装置本体の反対側に位置させた状態で保持することができるので、柵体を確実に移動させることができる。すなわち、例えば、柵体を、ボードと寝台装置本体との間に保持する場合、作業スペースが確保できずに移動作業が煩雑になったり、例えばマットレスや布団によって、柵体のボードと寝台装置本体との間への移動が実質的に制限されたりするおそれがある。
また、柵体を、前後方向にボードを挟んだ寝台装置本体の反対側に位置させた状態で、柵保持部によって保持するので、例えば、柵体を寝台装置本体から離脱させた後、所定の床置き場に搬送し、その後、ボードを床置き場から再び寝台装置本体に搬送して装着させる場合等に比べて、作業負荷の軽減および業務の効率化を図ることができる。
【発明の効果】
【００２６】
本発明によれば、柵体の床置きを不要としつつ、柵体が邪魔になるのを抑えることができる。
【図面の簡単な説明】
【００２７】
【図１】本発明の第１実施形態に係る寝台装置の平面図である。
【図２】図１に示す寝台装置の側面図である。
【図３】図１に示す寝台装置の要部を拡大した側面図である。
【図４】本発明の第２実施形態に係る寝台装置の要部を拡大した側面図である。
【図５】図４に示す寝台装置において支持部をヘッドボード内に収納した状態を示す側面図である。
【図６】本発明の第３実施形態に係る寝台装置の要部を拡大した側面図である。
【図７】本発明の第４実施形態に係る寝台装置の要部を拡大した側面図である。
【図８】本発明の第５実施形態に係る寝台装置の要部を拡大した側面図である。
【図９】本発明の第２実施形態に係る寝台装置の変形例における要部を拡大した斜視図であって、支持部が突出状態である状態を示す図である。
【図１０】図９に示す寝台装置の変形例における要部を拡大した斜視図であって、支持部が収納状態である状態を示す図である。
【図１１】本発明の第１実施形態に係る寝台装置の変形例における要部を拡大した平面図であって、支持部が装着部を支持している状態を示す図である。
【図１２】図１１に示す寝台装置の変形例における要部を拡大した平面図であって、隙間から装着部が引き抜かれた状態を示す図である。
【図１３】本発明の第１実施形態に係る寝台装置の第１変形例を示す斜視図である。
【図１４】図１３に示す寝台装置の第１変形例において、ボードを含む要部を拡大した正面図である。
【図１５】本発明の第１実施形態に係る寝台装置の第２変形例を示す斜視図である。
【図１６】図１５に示す寝台装置の第２変形例において、ボードを含む要部を拡大した平面図である。
【図１７】本発明の第６実施形態に係る寝台装置の斜視図である。
【図１８】本発明の第６実施形態に係る寝台装置の要部を拡大した側面図である。
【図１９】本発明の第６実施形態に係る寝台装置の要部を拡大した斜視図である。
【図２０】本発明の第６実施形態に係る寝台装置の変形例における要部を拡大した斜視図である。
【図２１】図２０に示す寝台装置の支持部が柵体を支持している状態を示す斜視図である。
【発明を実施するための形態】
【００２８】
（第１実施形態）
本発明の一実施形態に係る寝台装置１０を、図面に基づいて以下に説明する。寝台装置１０は、例えば、医療環境下（介護環境下を含む）において利用することができる。図１から図３において、矢印Ｈは人（使用者）が寝る際に頭側となる向きを示し、また矢印Ｆは人が寝る際に足側となる向きを示している。以下の説明においては、矢印Ｈ、Ｆの方向である前後方向（第２方向）に対して直交する水平方向を左右方向（第１方向）と言う場合が有る。前後方向および左右方向は、いずれも水平方向に沿う方向であるとともに、互いに直交する方向である。
【００２９】
図１および図２に示すように、寝台装置１０は、使用者（例えば患者、被介護者）を支持する寝台装置本体１１と、寝台装置本体１１における前後方向の端部に立設されたボード１２と、寝台装置本体１１における左右方向の端部に着脱自在に立設された柵体１３と、を備えている。寝台装置１０は、電力を動力源とするいわゆる電動ベッドである。
寝台装置本体１１は、寝台１４と、支持架台１５と、オプション取付け部１６と、を備えている。
【００３０】
寝台１４は、平面視した場合に左右方向よりも前後方向に長い。寝台１４は、背上げまたは膝上げ等に対応して変形する。寝台１４の上面は、寝台面１４ａを形成している。寝台面１４ａは、寝台１４が背上げまたは膝上げ等に対応して変形する前の状態において、上下方向に直交する直交面とされている。寝台面１４ａは、その平面視において左右方向よりも前後方向に長い矩形状に形成されている。寝台面１４ａ（寝台１４）の長手方向は前後方向とされ、寝台面１４ａの短手方向は左右方向となっている。寝台１４は、図示しないマットレスを直接、支持し、寝台面１４ａ上には、マットレスが配置される。
【００３１】
支持架台１５は、寝台１４を支持し、寝台１４、および寝台１４上の使用者それぞれの荷重を受け止める。支持架台１５は、寝台１４を変形自在に支持している。
オプション取付け部１６は、支持架台１５を挟んで左右一対設けられ、さらに左右一対のオプション取付け部１６が、前後方向に間隔をあけて一対設けられている。各オプション取付け部１６は、上方に向けて開口する装着孔１７が形成されている。装着孔１７は、各オプション取付け部１６に、前後方向に間隔をあけて２つずつ配置されている。
【００３２】
ボード１２は、前後方向に沿う頭側Ｈに位置するヘッドボード２２と、前後方向に沿う足側Ｆに位置するフットボード２３と、を備えている。ヘッドボード２２およびフットボード２３は、表裏面が前後方向を向く板状に形成されている。ヘッドボード２２およびフットボード２３は、前後方向から見た正面視において上下方向よりも左右方向に長い矩形状をなしている。ヘッドボード２２およびフットボード２３は、寝台装置本体１１に対して実質的に移動不能に固定された固定ボードである。
【００３３】
柵体１３は、支持架台１５における左右方向の端部に配置され、オプション取付け部１６に着脱自在に装着されている。柵体１３は、支持架台１５を左右方向に挟んで一対、設けられている。さらに、左右一対の柵体１３は、前後方向に間隔をあけて一対、設けられている。柵体１３は、全体で４つ設けられている。
【００３４】
柵体１３は、本体部２４と、装着部２５と、を備えている。本体部２４の周縁部は、本体部２４を左右方向から見た本体部２４の正面視において、上下方向よりも前後方向に長い矩形状に形成されている。本体部２４は、複数の柵構成部材２４ａ、２４ｂ、２４ｃによって形成されている。図示の例では、柵構成部材２４ａ、２４ｂ、２４ｃは、いずれもパイプ材によって形成されている。
【００３５】
図２に示すように、柵構成部材２４ａ、２４ｂ、２４ｃは、枠材２４ａと、横材２４ｂと、縦材２４ｃと、を備えている。枠材２４ａは、本体部２４の周縁部を形成している。横材２４ｂは、枠材２４ａ内に配置されるとともに前後方向に延びている。横材２４ｂは、枠材２４ａのうち、前後方向に対向する部分を互い連結している。縦材２４ｃは、上下方向に延びるとともに前後方向に間隔をあけて複数配置されている。縦材２４ｃは、横材２４ｂと、枠材２４ａのうち、横材２４ｂに下方から対向する部分と、を連結している。
【００３６】
複数の柵構成部材２４ａ、２４ｂ、２４ｃの間には、隙間２４ｄ、２４ｅが設けられている。隙間２４ｄ、２４ｅは、第１隙間２４ｄと、第２隙間２４ｅと、を備えている。第１隙間２４ｄは、横材２４ｂと、枠材２４ａのうち、横材２４ｂに上方から対向する部分と、の間に設けられている。第２隙間２４ｅは、横材２４ｂと、枠材２４ａのうち、横材２４ｂに下方から対向する部分と、の間において、前後方向に隣り合う縦材２４ｃの間に設けられている。
【００３７】
装着部２５は、寝台装置本体１１における左右方向の端部に装着される。装着部２５は、オプション取付け部１６の装着孔１７に装着される。装着部２５は、本体部２４から下方に向けて突出している。装着部２５は、前後方向に間隔をあけて一対、設けられている。一対の装着部２５は、本体部２４における長手方向（前後方向）の中央を基準として、長手方向に非対称に配置されている。装着部２５は、装着孔１７に着脱自在に挿入され、オプション取付け部１６によって下方から支持されている。柵体１３がオプション取付け部１６に対して上昇することで、装着部２５が装着孔１７から引き抜かれる。
【００３８】
図１から図３に示すように、寝台装置１０は、柵保持部１８を更に備えている。柵保持部１８は、左右方向の端部から離脱された柵体１３を、前後方向にボード１２を挟んだ寝台装置本体１１の反対側に位置させた状態で保持する。図示の例では、柵保持部１８は、柵体１３を、前後方向にヘッドボード２２を挟んだ寝台装置本体１１の反対側に位置させた状態で保持する。柵保持部１８は、柵体１３が左右方向に沿ってヘッドボード２２の内側に位置するように、柵体１３を保持する。
【００３９】
柵保持部１８は、ボード１２および柵体１３の少なくとも一方に設けられている。図示の例では、柵保持部１８が、ボード１２に限定して設けられている。柵保持部１８は、ボード１２に設けられ、柵体１３を下方から支持する支持部１９（第２保持部）を備えている。支持部１９は、ボード１２から突出している。支持部１９は、左右方向に間隔をあけて複数配置されている。支持部１９は、ヘッドボード２２から前後方向に沿って、寝台装置本体１１の反対側に向けて突出している。支持部１９は、ヘッドボード２２の下端部に配置されている。
【００４０】
支持部１９は、複数の柵体１３を支持する。図３に示すように、支持部１９は、２つの柵体１３を支持する。支持部１９は、柵体１３の装着部２５を支持する。支持部１９には、装着部２５が挿入される挿入孔２１が設けられている。挿入孔２１は、上方に向けて開口し、挿入孔２１には、装着部２５が上方から差し込まれる。
なお支持部１９は、例えば、寝台１４や支持架台１５の一部を、ボード１２から前後方向に突出させることで、ボード１２に設けることが可能である。また支持部１９は、ボード１２と一体に形成することもできる。
【００４１】
支持部１９は、一対の装着部２５に対応して２つ１組として設けられ、図示の例では、２組設けられている。本実施形態では、一対の装着部２５が前述のように長手方向に非対称に配置されていることから、本体部２４がボード１２に対してどちらの面を向けても支持部１９がボード１２の左右方向の内側に収まった状態で支持されるよう、一対の支持部１９が２組設けられている。
【００４２】
以上説明したように、本実施形態に係る寝台装置１０によれば、寝台装置１０が、柵保持部１８を備えている。したがって、柵体１３を寝台装置本体１１の左右方向の端部から離脱させた後、その柵体１３を、前後方向にボード１２を挟んだ寝台装置本体１１の反対側に位置させた状態で、柵保持部１８によって保持することができる。これにより、柵体１３が邪魔になるのを抑えることができる。その結果、寝台装置１０の使用者（例えば患者、被介護者）に関するチューブの引き回しを容易にしたり、チューブの意図しない抜けを防止し易くしたりすることができる。また、使用者が寝台装置１０の左右方向から離床し易くしたり、寝台装置１０の操作者（例えば看護者、介護者）が、使用者に対して左右方向から処置をし易くしたりすることができる。さらに、例えばオーバーベッドテーブルや介護リフト等の移乗装置を寝台装置１０上に移動させ易く、かつ、オーバーベッドテーブルや介護リフト等の移乗装置を寝台装置１０上から移動させ易くすることができる。
【００４３】
また、柵体１３を柵保持部１８によって保持することができるので、柵体１３の床置きを不要とすることができる。これにより、例えば、柵体１３が不潔になるといった衛生面での問題を解消したり、床置きされた柵体１３の意図しない転倒による騒音の発生を抑制したりすることができる。さらに、柵体１３を、前後方向にボード１２を挟んだ寝台装置本体１１の反対側に位置させた状態で保持することができるので、柵体１３を確実に移動させることができる。すなわち、例えば、柵体１３を、ボード１２と寝台装置本体１１との間に保持する場合、作業スペースが確保できずに移動作業が煩雑になったり、例えばマットレスや布団によって、柵体１３のボード１２と寝台装置本体１１との間への移動が実質的に制限されたりするおそれがある。
【００４４】
また、柵体１３を、前後方向にボード１２を挟んだ寝台装置本体１１の反対側に位置させた状態で、柵保持部１８によって保持するので、例えば、柵体１３を寝台装置本体１１から離脱させた後、所定の床置き場に搬送し、その後、ボード１２を床置き場から再び寝台装置本体１１に搬送して装着させる場合等に比べて、作業負荷の軽減および業務の効率化を図ることができる。
【００４５】
また、柵保持部１８が、ボード１２および柵体１３の少なくとも一方に設けられているので、例えば柵保持部１８が、柵体１３やボード１２とは分離された部材によって形成されている場合に比べて、作業性を向上させ易くすること等ができる。
【００４６】
また、支持部１９が柵体１３を下方から支持するので、例えば、柵保持部１８が吸着によって柵体１３を保持する場合などに比べて、柵体１３を簡便かつ安定に保持し易くすることができる。
【００４７】
また、支持部１９がボード１２から突出しているので、例えば、柵体１３を追加工することなく、支持部１９によって柵体１３を支持すること等が可能になり、柵体１３として多様な構成を採用することができる。
【００４８】
また、支持部１９が装着部２５を支持するので、柵体１３において寝台装置本体１１や支持部１９に装着、支持される部分を、装着部２５に集約させることが可能になり、例えば、柵体１３の本体部２４の機能に影響が生じるのを抑えること等ができる。
【００４９】
また、柵保持部１８が、柵体１３を、前後方向にヘッドボード２２を挟んだ寝台装置本体１１の反対側に位置させた状態で保持することから、柵保持部１８によって保持された柵体１３が邪魔になることも抑えることができる。すなわち、一般にヘッドボード２２は、室内の壁面の近傍に配置されることが多く、柵体１３を、前後方向にヘッドボード２２を挟んだ寝台装置本体１１の反対側に位置させることで、柵保持部１８によって柵体１３を保持することを起因として、室内の作業スペースに影響が生じるのを抑制することができる。
【００５０】
（第２実施形態）
次に、本発明に係る第２実施形態の寝台装置３０を、図４および図５を参照して説明する。
なお、この第２実施形態においては、第１実施形態における構成要素と同一の部分については同一の符号を付し、その説明を省略し、異なる点についてのみ説明する。
【００５１】
図４に示すように、本実施形態に係る寝台装置３０では、支持部１９が、前記隙間２４ｄ、２４ｅに挿通された状態で、複数の柵構成部材２４ａ、２４ｂ、２４ｃのうち、隙間２４ｄ、２４ｅの上方に位置する柵構成部材２４ａ、２４ｂ、２４ｃを支持する。支持部１９は、第２隙間２４ｅに挿通され横材２４ｂを下方から支持する。支持部１９は、この支持部１９によって支持された横材２４ｂに前方から係止する爪部２０を備えている。爪部２０は、横材２４ｂが支持部１９から前後方向に向けて不意に離脱することを規制する。
図５に示すように、支持部１９は、ボード１２に移動自在に連結されている。支持部１９は、ボード１２に対して出没自在である。支持部１９は、ボード１２内に収納される。支持部１９は、ヘッドボード２２から突出した突出状態と、ヘッドボード２２内に収納された収納状態と、の間を前後方向に移動する。
【００５２】
以上説明したように、本実施形態に係る寝台装置３０によれば、支持部１９が、第２隙間２４ｅに挿通された状態で、複数の柵構成部材２４ａ、２４ｂ、２４ｃのうち、第２隙間２４ｅの上方に位置する横材２４ｂを支持するので、例えば、柵体１３のうち、比較的、上方に位置する部分を支持部１９によって支持すること等が可能になり、作業性を向上させることができる。
【００５３】
また、支持部１９が、ボード１２に対して移動自在に連結されているので、支持部１９が柵体１３を支持していないときに、支持部１９を移動させることで、本実施形態のように支持部１９を収納したり、場合によっては支持部１９のボード１２からの突出量を小さくしたりすることができる。これにより、支持部１９が邪魔になるのを抑えることができる。
【００５４】
（第３実施形態）
次に、本発明に係る第２実施形態の寝台装置４０を、図６を参照して説明する。
なお、この第３実施形態においては、第１実施形態における構成要素と同一の部分については同一の符号を付し、その説明を省略し、異なる点についてのみ説明する。
【００５５】
本実施形態に係る寝台装置４０では、柵保持部１８が、ボード１２および柵体１３の両方に設けられている。柵保持部１８が、前記支持部１９と、柵体１３に設けられた被支持部４１（第１保持部）と、を備えている。
【００５６】
被支持部４１は、柵体１３から突出している。被支持部４１は、枠材２４ａのうち、横材２４ｂに上方から対向する部分に配置されている。被支持部４１は、柵体１３に連結された固定端である第１端部４１ａと、第１端部４１ａの反対側に位置する自由端である第２端部４１ｂと、を備えている。柵保持部１８が柵体１３を保持した状態で、被支持部４１は、ボード１２の上端縁上に配置され、ボード１２により下方から支持される。本実施形態では、ボード１２そのものが、支持部１９を構成しており、支持部１９（第２係合部）と被支持部４１（第１係合部）とが互いに係合することで、柵保持部１８が柵体１３を保持する。
【００５７】
被支持部４１は、第１係止部４２を備えている。第１係止部４２は、ボード１２（支持部１９）に前後方向に係止することで、柵体１３がボード１２から前後方向に向けて不意に離脱することを規制する。第１係止部４２は、第２端部４１ｂから下方に向けて延びている。柵保持部１８が柵体１３を保持した状態で、第１係止部４２は、前後方向に沿う寝台装置本体１１側からボード１２に係止する。
【００５８】
以上説明したように、本実施形態に係る寝台装置４０によれば、支持部１９が、ボード１２によって構成されているので、例えば、ボード１２の構造の簡便化を図りつつ柵体１３を安定して支持し易くすること等ができる。
【００５９】
（第４実施形態）
次に、本発明に係る第４実施形態の寝台装置５０を、図７を参照して説明する。
なお、この第４実施形態においては、第３実施形態における構成要素と同一の部分については同一の符号を付し、その説明を省略し、異なる点についてのみ説明する。
【００６０】
本実施形態に係る寝台装置５０では、ボード１２には、保持孔部５１が設けられている。保持孔部５１は、ヘッドボード２２に設けられている。保持孔部５１は、ヘッドボード２２において、前後方向に沿う寝台装置本体１１の反対側に向けて開口している。保持孔部５１の内面のうち、下方に位置する底部には、係止溝部５２が形成されている。
【００６１】
以上説明したような本実施形態に係る寝台装置５０において、柵保持部１８が柵体１３を保持するときには、被支持部４１を保持孔部５１内に差し込む。このとき、第１係止部４２を係止溝部５２内に配置させながら、被支持部４１を保持孔部５１の底部上に配置する。これにより、柵体１３がボード１２から前後方向に向けて不意に離脱することを規制された状態で、柵保持部１８に柵体１３を保持させることができる。
【００６２】
（第５実施形態）
次に、本発明に係る第５実施形態の寝台装置６０を、図８を参照して説明する。
なお、この第５実施形態においては、第３実施形態における構成要素と同一の部分については同一の符号を付し、その説明を省略し、異なる点についてのみ説明する。
【００６３】
本実施形態に係る寝台装置６０では、柵保持部１８が、ボード１２および柵体１３から分離された保持治具６１を備えている。保持治具６１は、ボード１２および柵体１３とは一体に形成されておらず、別体とされている。
保持治具６１は、前記被支持部４１および前記第１係止部４２を備えている。保持治具６１は、連結部６２と、受け部６３と、第２係止部６４と、を備えている。
【００６４】
連結部６２は、被支持部４１の第１端部４１ａから下方に向けて延び、被支持部４１と受け部６３とを連結する。受け部６３は、連結部６２の下端部から、前後方向に沿うボード１２の反対側に向けて延びる。受け部６３は、第１隙間２４ｄに挿通され、枠材２４ａを下方から支持する。
【００６５】
第２係止部６４は、柵体１３に前後方向に係止することで、柵体１３が保持治具６１から前後方向に向けて不意に離脱することを規制する。第２係止部６４は、受け部６３から上方に向けて延びている。柵保持部１８が柵体１３を保持した状態で、第２係止部６４は、前後方向に沿うボード１２の反対側から柵体１３に係止する。
【００６６】
以上説明したように、本実施形態に係る寝台装置６０によれば、保持治具６１が、ボード１２および柵体１３から分離されている。したがって、仮に保持治具６１に損傷が生じたとしても、容易に交換することができる。
【００６７】
（第６実施形態）
次に、本発明に係る第６実施形態の寝台装置７０を、図１７から図１９を参照して説明する。
なお、この第６実施形態においては、第１実施形態における構成要素と同一の部分については同一の符号を付し、その説明を省略し、異なる点についてのみ説明する。図１７および図１８では、柵体１３を示していない。
【００６８】
柵保持部１８は、フットボード２３に設けられている。柵保持部１８は、柵体１３を支持する支持部１９を備えている。支持部１９は、棒状に形成され、フットボード２３から突出している。支持部１９は、足側Ｆほど上方に向かうように傾斜している。支持部１９は、支持部１９が突出する先端部に爪部２０を備えている。爪部２０は、支持部１９から支持部１９の径方向に全周にわたり突出している。支持部１９は、フットボード２３の上下方向の中央部に、左右方向に間隔をあけて複数配置されている。この例では、柵保持部１８は３本の支持部１９を備えている。
【００６９】
フットボード２３における支持部１９よりも上方には、スペーサ７１が設けられている。スペーサ７１は、支持部１９および爪部２０よりも足側Ｆに突出している。スペーサ７１の先端部には、スペーサ７１から上方に延びる当て板７２が設けられている。
スペーサ７１および当て板７２は、物などを載せる台として利用できる。
【００７０】
図１９に示すように、支持部１９は、柵体１３の第１隙間２４ｄに挿通された状態で、枠材２４ａを下方から支持する。この例では、３本の支持部１９が柵体１３を支持する。支持部１９が傾斜しているため、支持部１９に支持された柵体１３は支持部１９から落下しにくい。爪部２０は、柵体１３の枠材２４ａが支持部１９から前後方向に向けて不意に離脱することを規制する。柵体１３の左右方向の長さに応じて、柵体１３は左右方向に隣り合う２本の支持部１９で支持されてもよい。
スペーサ７１は、寝台装置７０に人が寄りかかった場合等に、人が支持部１９に接触するのを抑えることができる。
支持部１９には、柵体１３以外に、袋の持ち手等を掛けることができる。
【００７１】
なお、柵保持部１８が棒状の支持部１９を複数備えるのに代えて、図２０および図２１に示す変形例の寝台装置７０Ａのように、柵保持部１８が左右方向に延びる棚板状の支持部１９を備えてもよい。
支持部１９は、柵体１３の第１隙間２４ｄに挿通された状態で、枠材２４ａを下方から支持する。
なお、フットボード２３に代えてヘッドボード２２に支持部１９を設けてもよい。
【００７２】
なお、本発明の技術的範囲は前記実施形態に限定されるものではなく、本発明の趣旨を逸脱しない範囲において種々の変更を加えることが可能である。
【００７３】
前記実施形態では、柵保持部１８が、柵体１３を、前後方向にヘッドボード２２を挟んだ寝台装置本体１１の反対側に位置させた状態で保持するが、本発明はこれに限られない。柵保持部１８として、柵体１３を、前後方向にフットボード２３を挟んだ寝台装置本体１１の反対側に位置させた状態で保持する構成を採用することも可能である。さらに、柵保持部１８として、柵体１３を、前後方向にヘッドボード２２を挟んだ寝台装置本体１１の反対側に位置させた状態で保持する第１柵保持部と、柵体１３を、前後方向にフットボード２３を挟んだ寝台装置本体１１の反対側に位置させた状態で保持する第２柵保持部と、を併用する構成を採用することも可能である。
【００７４】
前記実施形態では、ボード１２が柵体１３を下方から支持するが、本発明はこれに限られない。例えばボード１２または柵体１３のうちの一方に磁石が設けられる一方、他方に磁石に吸着（磁着、係合）可能な磁性体が設けられた構成を採用することが可能である。この場合、磁性体に磁石が磁着することで、柵保持部１８が柵体１３を保持することができる。
【００７５】
前記第１実施形態から前記第４実施形態、及び前記第６実施形態では、柵保持部１８が、ボード１２および柵体１３の少なくとも一方に設けられているが、本発明はこれに限られない。例えば前記第５実施形態のように、ボード１２および柵体１３から分離された保持治具６１を柵保持部１８として設け、柵体１３をボード１２に近接させた状態で、保持治具６１をボード１２および柵体１３に一体に装着させることで、柵保持部１８が柵体１３を保持する構成を採用することも可能である。
また柵保持部１８は、ボード１２としてのヘッドボード２２やフットボード２３の他、例えば支持架台１５（寝台装置本体１１）等に設けることも可能である。さらに、柵保持部１８が保持治具６１を備える場合、保持治具６１を支持架台１５に取り付けることも可能である。
【００７６】
前記第２実施形態における支持部１９は、突出状態と収納状態との間を直線的に前後方向に移動するが、本発明はこれに限られない。例えば、図９および図１０に示す支持部１９のように、支持部１９を、ボード１２に、左右方向に延びる回転軸回りに回転移動可能に設けてもよい。この場合、支持部１９が、図９に示すような突出状態と図１０に示すような収納状態との間を、回転を伴って移動する。
【００７７】
前記第１実施形態における支持部１９は、ボード１２に実質的に移動不能に連結されているが、本発明はこれに限られない。例えば、図１１および図１２に示すように、支持部１９を、左右方向に長い弾性部材１９Ａにより形成することも可能である。この場合、弾性部材１９Ａのうち、左右方向の両端部をボード１２に固定し、左右方向の中央部をボード１２から前後方向に離間可能に形成する。支持部１９により装着部２５を支持するときには、図１１に示すように、弾性部材１９Ａの中央部をボード１２から離間させてボード１２と支持部１９との間に、挿入孔２１となる隙間Ｓを設け、この隙間Ｓに装着部２５を挿入すればよい。この構成によれば、装着部２５を前記隙間Ｓから引き抜くことで、図１２に示すように、弾性部材１９Ａの弾性復元力に基づいて、別途の操作をすることなく支持部１９が復元変位する。
【００７８】
支持部１９がボード１２や支持架台１５に移動自在に連結されている場合、前述のように支持部１９を突出状態と収納状態との間で移動させることができる。なお支持部１９は、ボード１２内とは異なる場所であって、ボード１２から前後方向に沿う寝台１４の反対側に突出しない他の場所にも収納（格納）することができる。
例えば、図１３から図１６に示す第１実施形態の第１変形例および第２変形例のように、支持部１９をボード１２の真下に収納することも可能である。この場合、支持部１９をボード１２（図示の例ではフットボード２３）の下端部から前後方向に突出するように、ボード１２に回転移動自在に連結させた各構成を採用することができる。
図１３および図１４に示す第１変形例に係る寝台装置１０Ａでは、支持部１９が、ボード１２の下端部に、水平軸Ａ１回りに回転移動自在に設けられている。この構成によれば、突出状態の支持部１９（紙面に向かって左手に位置する支持部１９）を、水平軸Ａ１回りの下方に向けて回動させることで、支持部１９をボード１２の真下に収納（格納）することができる。収納状態の支持部１９（紙面向かって右手に位置する支持部１９）では、挿入孔２１が前後方向に向けて開口している。
図１５および図１６に示す第２変形例に係る寝台装置１０Ｂでは、支持部１９が、ボード１２の下端部に、鉛直軸Ａ２回りに回転移動自在に設けられている。この構成によれば、突出状態の支持部１９（紙面に向かって左手に位置する支持部１９）を、鉛直軸Ａ２回りに向けて回動させることで、支持部１９をボード１２の真下に収納（格納）することができる。収納状態の支持部１９（紙面向かって右手に位置する支持部１９）では、挿入孔２１が上下方向に向けて開口している。
【００７９】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００８０】
１０、１０Ａ、１０Ｂ、３０、４０、５０、６０、７０、７０Ａ   寝台装置
１１   寝台装置本体
１２   ボード
１３   柵体
１８   柵保持部
１９   支持部
２２   ヘッドボード
２４ａ、２４ｂ、２４ｃ 柵構成部材
２４ｄ、２４ｅ 隙間
２５   装着部
４１   被支持部（第１保持部）
【図１】
0006795408.tif 000002
【図２】
0006795408.tif 000003
【図３】
0006795408.tif 000004
【図４】
0006795408.tif 000005
【図５】
0006795408.tif 000006
【図６】
0006795408.tif 000007
【図７】
0006795408.tif 000008
【図８】
0006795408.tif 000009
【図９】
0006795408.tif 000010
【図１０】
0006795408.tif 000011
【図１１】
0006795408.tif 000012
【図１２】
0006795408.tif 000013
【図１３】
0006795408.tif 000014
【図１４】
0006795408.tif 000015
【図１５】
0006795408.tif 000016
【図１６】
0006795408.tif 000017
【図１７】
0006795408.tif 000018
【図１８】
0006795408.tif 000019
【図１９】
0006795408.tif 000020
【図２０】
0006795408.tif 000021
【図２１】
0006795408.tif 000022